(57)【要約】【課題】削孔工事で発生する濁水から土粒子を集積できると共に、残った水を削孔工事に再利用することで環境に与える負荷が少なく、しかも、簡易構成で運搬条件の悪いところにも運搬・構築可能な削孔工事に用いる土粒子回収循環システムを提供すること。【解決手段】削孔箇所へ，土粒子の回収性状を持つ凝集剤を溶解した回収水を供給しながら削孔を行う削孔装置Ａと、この削孔装置Ａの削孔に際して排出される，土粒子３と前記回収水との混合濁水が導入する沈殿槽Ｄと、この沈殿槽Ｄに導入した濁水の上澄みである回収水が導入する貯水槽Ｅと、この貯水槽Ｅの回収水を前記削孔箇所若しくは前記削孔装置Ａへ送水する送水装置Ｐとを有する削孔工事用の土粒子回収循環システム。【選択図】図１
2007132083.tif 000002
【特許請求の範囲】
【請求項１】
削孔箇所へ，土粒子の回収性状を持つ凝集剤を溶解した回収水を供給しながら削孔を行う削孔装置と、この削孔装置の削孔に際して排出される，土粒子と前記回収水との混合濁水が導入する沈殿槽と、この沈殿槽に導入した濁水の上澄みである回収水が導入する貯水槽と、この貯水槽の回収水を前記削孔箇所若しくは前記削孔装置へ送水する送水装置とを有して、前記削孔装置の削孔に際して排出される濁水を前記沈殿槽へと導入し、この沈殿槽で濁水中の土粒子を沈殿させると共に上澄みである回収水を前記貯水槽へと導入し、この貯水槽の回収水を前記送水装置により前記削孔箇所若しくは前記削孔装置へと循環供給する循環経路を構成したことを特徴とする削孔工事に用いる土粒子回収循環システム。
【請求項２】
前記循環経路に凝集剤収容部を有し、この凝集剤収容部に前記濁水中の土粒子沈殿作用を備えた凝集剤水溶液を収容し、この凝集剤収容部より前記循環経路へ凝集剤水溶液を供給し得るように構成したことを特徴とする請求項１記載の削孔工事に用いる土粒子回収循環システム。
【請求項３】
少なくとも前記循環経路に導入した濁水と、前記凝集剤収容部から供給される凝集剤水溶液とを攪拌混合する攪拌装置を有することを特徴とする請求項２記載の削孔工事に用いる土粒子回収循環システム。
【請求項４】
前記削孔装置と前記沈殿槽の間の前記循環経路に前記凝集剤収容部を有し、この凝集剤収容部に前記濁水中の土粒子沈殿作用を備えた凝集剤水溶液を収容し、この凝集剤収容部より前記循環経路へ凝集剤水溶液を供給し得るように構成し、この凝集剤収容部と前記沈殿槽の間に、循環経路に導入した濁水と凝集剤収容部から循環経路に供給された凝集剤水溶液とを攪拌混合する攪拌装置を有することを特徴とする請求項１〜３のいずれか１項に記載の削孔工事に用いる土粒子回収循環システム。
【請求項５】
前記循環経路に補充水を供給する給水部を有することを特徴とする請求項１〜４のいずれか１項に記載の削孔工事に用いる土粒子回収循環システム。
【発明の詳細な説明】
【技術分野】
【０００１】
本発明は、例えば、ボーリング工事等の削孔により発生した濁水（土粒子と水との混合水）から土粒子を集積すると共に、濁水を現場から放流することなく、循環型回収水として循環して削孔に再利用することができる削孔工事に用いる土粒子回収循環システムに関するものである。
【背景技術】
【０００２】
トンネル工事等の大規模な削孔工事においては、土粒子と水とが混合した濁水が大量に発生する。
【０００３】
このような濁水は、環境への影響が懸念されるため、工事現場に大規模な濁水処理システムを構築し、水質検査を行い、河川放流基準を満たした上で放流水を河川に放流していた。
【発明の開示】
【発明が解決しようとする課題】
【０００４】
前述のような大規模な濁水処理システムは、構築すること自体が難しい上、特に地すべり工事などを行う山間地や急傾斜地のような運搬条件の悪いところでは、このシステムを持ち込むことすら困難となるため、このような現場では濁水処理システムを構築することなく、濁水が無処理のまま放流されているという現状であった。
【０００５】
また、産業廃棄物処理業者に処理を依頼した場合、その処理費用は高額である。
【０００６】
更に、この従来の濁水処理システムには次のような問題がある。
【０００７】
（イ）濁水処理をして、河川放流基準を満たす放流水にまで処理するには装置の構築に
多額の費用がかかり、その維持管理も多大な費用がかかる。
【０００８】
（ロ）水源の確保が難しい場所や時期においては処理水を放流するシステムでは水の供
給が難しい。
【０００９】
（ハ）小規模工事においては、本体工事費より濁水処理にかかる費用のほうがはるかに
多くなる。
【００１０】
（ニ）凝集剤等を混ぜて濁水から沈殿物を取り除く方法の場合は、精度の高い添加量の
管理が必要となる。
【００１１】
本発明は、上記のような諸問題を解決するためになされたものであり、簡単に土粒子を集積するとともに、現場内からの処理水の排出をなくした簡易構造の削孔工事に用いる土粒子回収循環システムを提供するものである。
【課題を解決するための手段】
【００１２】
添付図面を参照して本発明の要旨を説明する。
【００１３】
削孔箇所へ，土粒子３の回収性状を持つ凝集剤を溶解した回収水を供給しながら削孔を行う削孔装置Ａと、この削孔装置Ａの削孔に際して排出される，土粒子３と前記回収水との混合濁水が導入する沈殿槽Ｄと、この沈殿槽Ｄに導入した濁水の上澄みである回収水が導入する貯水槽Ｅと、この貯水槽Ｅの回収水を前記削孔箇所若しくは前記削孔装置Ａへ送水する送水装置Ｐとを有して、前記削孔装置Ａの削孔に際して排出される濁水を前記沈殿槽Ｄへと導入し、この沈殿槽Ｄで濁水中の土粒子３を沈殿させると共に上澄みである回収水を前記貯水槽Ｅへと導入し、この貯水槽Ｅの回収水を前記送水装置Ｐにより前記削孔箇所若しくは前記削孔装置Ａへと循環供給する循環経路Ｋを構成したことを特徴とする削孔工事に用いる土粒子回収循環システムに係るものである。
【００１４】
また、前記循環経路Ｋに凝集剤収容部Ｂを有し、この凝集剤収容部Ｂに前記濁水中の土粒子沈殿作用を備えた凝集剤水溶液を収容し、この凝集剤収容部Ｂより前記循環経路Ｋへ凝集剤水溶液を供給し得るように構成したことを特徴とする請求項１記載の削孔工事に用いる土粒子回収循環システムに係るものである。
【００１５】
また、少なくとも前記循環経路Ｋに導入した濁水と、前記凝集剤収容部Ｂから供給される凝集剤水溶液とを攪拌混合する攪拌装置Ｃを有することを特徴とする請求項２記載の削孔工事に用いる土粒子回収循環システムに係るものである。
【００１６】
また、前記削孔装置Ａと前記沈殿槽Ｄの間の前記循環経路Ｋに前記凝集剤収容部Ｂを有し、この凝集剤収容部Ｂに前記濁水中の土粒子沈殿作用を備えた凝集剤水溶液を収容し、この凝集剤収容部Ｂより前記循環経路Ｋへ凝集剤水溶液を供給し得るように構成し、この凝集剤収容部Ｂと前記沈殿槽Ｄの間に、循環経路Ｋに導入した濁水と凝集剤収容部Ｂから循環経路Ｋに供給された凝集剤水溶液とを攪拌混合する攪拌装置Ｃを有することを特徴とする請求項１〜３のいずれか１項に記載の削孔工事に用いる土粒子回収循環システムに係るものである。
【００１７】
また、前記循環経路Ｋに補充水を供給する給水部Ｆを有することを特徴とする請求項１〜４のいずれか１項に記載の削孔工事に用いる土粒子回収循環システムに係るものである。
【発明の効果】
【００１８】
本発明は上述のように構成したことにより、削孔時に排出された濁水より土粒子を分離（沈殿）して残った回収水を削孔用水として循環再利用できるシステムのため、システム稼働中は処理水を河川に放流することがなく、それ故、河川放流基準関係の諸計測を行う必要がなく、また、土粒子を沈殿させる沈殿槽から上澄み（回収水）を削孔装置若しくは削孔箇所へ送水するのではなく、沈殿槽から上澄みを一旦貯水槽へ貯水してこの貯水槽から送水するので、沈殿した土粒子までもが循環再利用水として送水されるようなことなく、確実に上澄みを削孔用水として送水することができ、しかも、本発明は、削孔用水のための水源の確保が難しい場所や時期においても、初期回収水の確保と稼動することによって損失する回収水分を補充できれば良いため、容易に稼動でき、その上、本システムの構成は従来型に比べて非常に簡易な構成であり、僅かな費用で構築できるので、小規模工事においても有用であると共に、地すべり工事、急傾斜地工事等運搬条件が悪いところにおいても本システムを運搬して構築することが容易であるなど、極めて実用性に秀れた画期的な削孔工事に用いる土粒子回収循環システムとなる。
【００１９】
また、請求項２記載の発明においては、凝集剤収容部より前記循環経路へ凝集剤水溶液を供給することで、沈殿槽で濁水から土粒子を極めて良好に沈殿・集積することができると共に、この凝集剤水溶液を供給することにより循環型回収水の凝結能力の低下を補うことができ、しかも、沈殿凝集剤等の供給量は、循環型回収水の凝結能力の低下を補うだけの少量で良いので、維持管理費が安価で済み、その上、凝集剤を水溶液にして使用することにより、例えば、その水溶液の時間当たり供給量を調整できる簡単な装置のみで循環型回収水中の濃度をコントロールすることが可能となり、この凝集剤の濃度管理も、沈殿槽の沈殿物の降下状態を見て添加量を管理すれば良いので容易に行われるなど、極めて実用性に秀れた構成の削孔工事に用いる土粒子回収循環システムとなる。
【００２０】
また、請求項３記載の発明においては、凝集剤等水溶液を必要濃度まで早急に撹拌混合することができるので、濁水中の土粒子の沈殿がスムーズに且つ確実に行われる一層実用性に秀れた構成の削孔工事に用いる土粒子回収循環システムとなる。
【００２１】
また、請求項４記載の発明においては、循環経路に供給された凝集剤水溶液が攪拌装置により濁水と攪拌混合された後に沈殿槽へと導入するので、この沈殿槽に導入した濁水には凝集剤水溶液が良好に作用し、土粒子の沈殿が極めて良好に行われることになる一層実用性に秀れた構成の削孔工事に用いる土粒子回収循環システムとなる。
【００２２】
また、請求項５記載の発明においては、前記循環経路に補充水を供給する給水部を有するため、循環型回収水の蒸発、地山浸透等による循環経路からの流出による循環型回収水量の減少に対して、給水部より新水（補充水）を供給して必要水量を維持することができる一層実用性に秀れた構成の削孔工事に用いる土粒子回収循環システムとなる。
【発明を実施するための最良の形態】
【００２３】
好適と考える本発明の実施形態（発明をどのように実施するか）を、図面に基づいて本発明の作用を示して簡単に説明する。
【００２４】
削孔装置Ａにより、削孔箇所へ，土粒子の回収性状を持つ凝集剤を溶解した回収水を供給しながら削孔を行う。
【００２５】
削孔装置Ａの削孔により発生した濁水は、沈殿槽Ｄに導入する。
【００２６】
そして、この沈殿槽Ｄでは濁水の土粒子３が沈殿し、残った上澄み（回収水）は浮遊物を除去して貯水槽Ｅに誘導する。
【００２７】
この貯水槽Ｅに貯められた回収水は、送水装置Ｐにより削孔箇所へと循環供給され、新たな土粒子３を運ぶための削孔用水として再利用する。この際、例えば、沈殿槽Ｄの上澄みを送水装置Ｐで送水するような構成であると、沈下した土粒子３までもが一緒に送水されてしまう場合があるが、一旦上澄みだけを貯水槽Ｅへと導入した後に送水装置Ｐで送水するので、確実に上澄みだけを削孔用水として送水することができる。
【００２８】
従って、処理回収水、濁水を現場外へ流出することなく、削孔により発生した土粒子３を簡単に集積できることになる。
【００２９】
また、例えば、循環経路Ｋに凝集剤水溶液を供給して濁水若しくは回収水に添加混合し、濁水中の土粒子３の凝集を促してスムーズに沈殿が行われるようにすることが好ましい。この場合、例えば、前記循環経路Ｋに凝集剤収容部Ｂを有し、この凝集剤収容部Ｂに前記濁水中の土粒子沈殿作用を備えた凝集剤水溶液を収容し、この凝集剤収容部Ｂより前記循環経路Ｋへ凝集剤水溶液を供給し得るように構成すると良い。
【００３０】
また、この場合、例えば、少なくとも前記循環経路Ｋに導入した濁水と、前記凝集剤収容部Ｂから供給される凝集剤水溶液とを攪拌混合する攪拌装置Ｃを有する構成とすることにより、循環経路Ｋ中の凝集剤等水溶液を必要濃度まで早急に撹拌混合することができるので、濁水中の土粒子３の沈殿がスムーズに且つ確実に行われる。
【００３１】
また、更に、前記削孔装置Ａと前記沈殿槽Ｄの間の前記循環経路Ｋに前記凝集剤収容部Ｂを有し、この凝集剤収容部Ｂと前記沈殿槽Ｄの間に、循環経路Ｋに導入した濁水と凝集剤収容部Ｂから循環経路Ｋに供給された凝集剤水溶液とを攪拌混合する攪拌装置Ｃを有する構成とすれば、循環経路Ｋに供給された凝集剤水溶液が攪拌装置Ｃにより確実に濁水と攪拌混合された後に沈殿槽Ｄへと導入するので、この沈殿槽Ｄでの濁水からの土粒子３の沈殿が極めて良好に行われることになる。
【００３２】
また、例えば、前記循環経路Ｋに補充水を供給する給水部Ｆを有する構成とすれば、循環型回収水の蒸発、地山浸透等による循環経路Ｋからの流出による循環型回収水量の減少に対して、給水部より新水（補充水）を供給して必要水量を維持することができる。
【００３３】
削孔工事終了時には、濁水より土粒子３を充分沈降させて上澄み（回収水）を放流するか、若しくは上澄みを他現場転用のため回収する。河川放流する場合は、その上澄みが河川放流基準を満たしていることを確認の上放流し、もし、河川放流基準に満たない場合は、凝集剤収容部Ｂより凝集剤等水溶液を供給添加し、土粒子３の沈降を促進して河川放流基準を満たすようにする。
【００３４】
また、沈殿槽Ｄで集積した沈殿物（土粒子３）は、この沈殿槽Ｄより取り出し、例えば、図３に示したような、地面を掘り下げて暗渠７を整備すると共に、掘り下げ穴の底部及び側部にフィルター材８を装備して構成した集積地Ｓに集め、時間をかけて自沈脱水乾燥させる。その後、現場内でバッキ乾燥処理をするか、セメント系・石灰系等個化剤にて固化し、例えば、現場内盛土材として使用する。その処理の困難な場合は、産業廃棄物処理をする。
【実施例１】
【００３５】
本発明の具体的な実施例１について図１〜図３に基づいて説明する。
【００３６】
本実施例の削孔工事に用いる簡易土粒子回収循環システムを構成する各装置について説明する。
【００３７】
Ａは、ボーリングマシン等の削孔装置である。
【００３８】
Ｂは、凝集剤等水溶液を溜めておくタンクを採用した凝集剤収容部であり、後述する循環経路Ｋに凝集剤を供給可能な連設状態に設けられ、この凝集剤の流出量を調整できる液量調整装置１を備えている。この液量調整装置１は、システムの使用開始時に循環型回収水を作る時と、装置を使い続けるうちに減少してくる凝集剤の濃度を保つために使用するもので、市販のバルブを採用して構成してもその機能は果たす。
【００３９】
Ｃは、前記削孔装置Ａの削孔により発生した濁水（土粒子３を含む循環型回収水）若しくは後述する給水部Ｆより供給される補充水と、前記凝集剤収容部Ｂより供給添加される凝集剤水溶液とを攪拌する攪拌装置であり、図２に示すような有底円筒状体に構成している。また、この攪拌装置Ｃは、底部中心に流出孔４を形成すると共に、この底部上面の、流出孔４を中心とした放射方向（図面では四方向）に細帯状の攪拌促進板５を付設した構成としている。尚、図２（ａ）は攪拌装置Ｃの斜視図、図２（ｂ）は攪拌装置Ｃの平面図、図２（ｃ）は攪拌装置Ｃの断面図である。
【００４０】
また、本実施例では、この円筒状の攪拌装置Ｃの内壁面に沿わせて濁水若しくは補充水が流入するように設け、凝集剤水溶液を添加した濁水若しくは補充水がこの攪拌装置Ｃに流入すると、攪拌装置Ｃの内壁面に沿って回転しながら底部に至った後、水流が四箇所の前記攪拌促進板５にぶつかり波打つことで攪拌を促進しながら、中央流出孔４より後述の沈殿槽Ｄ方向へ流動するように構成している。図中符号６は導水管である。
【００４１】
従って、この攪拌装置Ｃによる攪拌作用により濁水に凝集剤水溶液が良好に添加される構成としている。尚、出願人の実験によれば、このような簡易構造の攪拌装置Ｃでも攪拌能力は十分であることが確認されている。また、攪拌装置Ｃとして水中ポンプ等を用いることも可能である。
【００４２】
尚、後述する実施例３のように、この攪拌装置Ｃを省略し、貯水槽Ｅの送水ポンプＰ等で攪拌作用を代用する構成とすることも可能である。
【００４３】
Ｄは、前記攪拌装置Ｃにより攪拌された濁水を受ける沈殿槽である。
【００４４】
この沈殿槽Ｄは、鉄板等で箱状のものに形成した場合を示しており、下部に沈殿物（土粒子３）排出用の排出部２を設けている。この排出部２は、例えば、バルブなどを採用して簡易に構成できる。
【００４５】
また、この沈殿槽Ｄの上澄み（回収水）を貯水槽Ｅに流し込む際には、浮遊物を取り除く機能を持つ装置を使用する。
【００４６】
Ｅは、沈殿槽Ｄより流入した循環型回収水（上澄み）を貯水しておく貯水槽である。また、この貯水槽Ｅには、送水ポンプなどの送水装置Ｐが設けられ、ここから送水装置Ｐにより削孔装置Ａ若しくは削孔箇所に送水する。
【００４７】
また、この貯水槽Ｅの構成は、前記沈殿槽Ｄと同様の構成としている。
【００４８】
Ｆは、後述する循環経路Ｋに補充水を供給可能な連設状態に設けられ、システムを使い続けるうちに減少してきた循環型回収水の補給を行うための給水部である。この給水部Ｆは、工事現場近くに水道、沢水などの水源がある場合は、これを採用して構成、水源がない場合は、捕水装置などを採用して構成する。例えば、水源がある場合は、単に水量を制御できるバルブのみで構成可能である。
【００４９】
本実施例は、図１に示すように、前記削孔装置Ａの削孔に際して排出される濁水を前記沈殿槽Ｄへと導入し、この沈殿槽Ｄで濁水中の土粒子３を沈殿させると共に上澄みを前記貯水槽Ｅへと導入し、この貯水槽Ｅの水を前記送水装置Ｐにより前記削孔箇所若しくは前記削孔装置Ａへと循環供給する循環経路Ｋを構成し、削孔装置Ａと沈殿槽Ｄの間の循環経路Ｋに前記凝集剤収容部Ｂを連設し、この凝集剤収容部Ｂと沈殿槽Ｄの間に、この凝集剤収容部Ｂから循環経路Ｋに供給された凝集剤水溶液と濁水若しくは給水部Ｆより供給される補充水とを攪拌混合する前記攪拌装置Ｃを設け、削孔装置Ａと凝集剤収容部Ｂとの間の循環経路Ｋに給水部Ｆを連設する構成としている。
【００５０】
尚、凝集剤収容部Ｂと攪拌装置Ｃと給水部Ｆとは、循環経路Ｋの他の場所に設けても良い。
【００５１】
次に、本実施例の作動を説明する。
【００５２】
このシステムの稼動開始時に、水源又は補水装置などの給水部Ｆより新水を循環経路Ｋに取り込む時には凝集剤収容部Ｂより凝集剤等水溶液を必要濃度まで撹拌装置Ｃにおいて混合する。あるいは、先に無添加の水をシステムに満たした場合は、この無添加の水を循環させながら、凝集剤収容部Ｂより凝集剤等水溶液を添加し、循環型回収水の濃度を必要濃度まで高めても良い。
【００５３】
このシステムの通常運転時には、ボーリング装置などの削孔装置Ａより発生した濁水（土粒子３を含む回収水）を沈殿槽Ｄへ誘導する。既に回収水に凝集剤等が充分に溶解している場合は凝集剤収容部Ｂより凝集剤水溶液を添加する必要はない。
【００５４】
継続的に使用していくうちに、凝集力（土粒子３運搬能力）の劣化や雨水・湧き水等の混入による循環型回収水の濃度希釈が生じた場合は、凝集剤収容部Ｂより必要量の凝集剤等水溶液を添加し、必要濃度に高める。また、循環型回収水の蒸発、地山浸透等による循環経路Ｋからの流出による循環型回収水量の減少に対しては、給水部Ｆより新水（補充水）を供給し、凝集剤収容部Ｂより必要量の凝集剤等水溶液を加え、回収水の必要量と濃度を維持する。
【００５５】
このシステムの終了時には、循環型回収水を充分沈降させて放流するか、若しくは他現場転用のため回収する。河川放流する場合は、その上澄み（回収水）が河川放流基準を満たしていることを確認の上放流し、もし、河川放流基準に満たない場合は、凝集剤収容部Ｂより凝集剤等水溶液を供給添加し、土粒子３の沈降を促進して河川放流基準を満たすようにする。
【００５６】
沈殿槽Ｄで集積した沈殿物（土粒子３）は、排出部２より取り出し、例えば、図３に示したような、地面を掘り下げて暗渠７を整備すると共に、掘り下げ穴の底部及び側部にフィルター材８を装備して構成した集積地Ｓに集め、時間をかけて自沈脱水乾燥させる。その後、現場内でバッキ乾燥処理をするか、セメント系・石灰系等個化剤にて固化し、現場内盛土材として使用する。その処理の困難な場合は、産業廃棄物処理をする。図中符号９は排水溝である。
【実施例２】
【００５７】
本発明の具体的な実施例２について図４に基づいて説明する。
【００５８】
本実施例は、前記実施例１において、沈殿槽Ｄを二槽（Ｄ１，Ｄ２）構造とした場合である。
【００５９】
また、本実施例の沈殿槽Ｄ１，Ｄ２の構成は、いずれも前記実施例１の沈殿槽Ｄと同様である。
【００６０】
本実施例の場合、削孔装置Ａからの濁水が沈殿槽Ｄ１に導入し、この沈殿槽Ｄ１の上澄み（回収水）が沈殿槽Ｄ２へと導入し、この沈殿槽Ｄ２の上澄みが前記貯水槽Ｅに導入する構成としている。
【００６１】
更に具体的には、前記攪拌装置Ｃで攪拌された濁水の流入により発生する濁水の動きを沈殿槽Ｄ１で受け止め、この沈殿槽Ｄ１での上澄みを沈殿槽Ｄ２槽に緩やかに注ぎ込む構成としている。
【００６２】
そして、沈殿槽Ｄ１より沈殿槽Ｄ２に緩やかに流入した凝集剤入り濁水から土粒子３が沈殿する構成としている。
【００６３】
このように構成した本実施例によれば、実施例１のような沈殿槽Ｄ一槽構造に比べて、沈殿槽Ｄ２では濁水の流れが生じにくくなるため、濁水の流れに乗って沈殿していない土粒子３が貯水槽Ｅへと流入しにくく、一層きれいな上澄みが貯水槽Ｅへ導入することになる構成としている。
【実施例３】
【００６４】
本発明の具体的な実施例３について図５に基づいて説明する。
【００６５】
本実施例は、実施例１を更に簡略化したシステム最小構築モデルというべきものであって、攪拌装置Ｃを省略し、攪拌機能を送水装置Ｐで代用した構成である。
【００６６】
また、沈殿槽Ｄと貯水槽Ｅとは、工事現場付近の地面に穴を掘り池状にして構成している。尚、この場合の沈殿槽Ｄの沈殿物の取り出しは、作業を中止し上澄みを抜き取って他の槽・池に仮貯水した後、バックホウ等で取り出すようにすると良い。
【００６７】
また、本実施例では、凝集剤収容部Ｂを、削孔装置Ａと貯水槽Ｅの間の循環経路Ｋに連設し、給水部Ｆを、凝集剤収容部Ｂと貯水槽Ｅの間の循環経路Ｋに連設した場合を示しているが、この凝集剤収容部Ｂと給水部Ｆとは、貯水槽Ｅなど循環経路Ｋの他の場所に設けても良い。
【００６８】
この本実施例のように、沈殿槽Ｄ、貯水槽Ｅとも現場地盤上に池を掘り作成する構成を採用すれば、攪拌装置Ｃもないため、削孔装置Ａの他に、凝集剤水溶液を入れるバルブ付の容器（凝集剤収容部Ｂ）と、水源の水量管理するバルブ等の設備（給水部Ｆ）を用いることだけで本システムを構築できる。工事現場の近くに水源があれば、尚良い。
【００６９】
尚、本発明は、実施例１，２に限られるものではなく、各構成要件の具体的構成は適宜設計し得るものである。
【図面の簡単な説明】
【００７０】
【図１】実施例１のシステム説明図である。
【図２】実施例１の攪拌装置を示す説明図である。
【図３】実施例１の沈殿物集積処理を示す説明図である。
【図４】実施例２のシステム説明図である。
【図５】実施例３のシステム説明図である。
【符号の説明】
【００７１】
３  土粒子
Ａ  削孔装置
Ｂ  凝集剤収容部
Ｃ  攪拌装置
Ｄ  沈殿槽
Ｅ  貯水槽
Ｆ  給水部
Ｋ  循環経路
Ｐ  送水装置
【図１】
2007132083.tif 000003
【図２】
2007132083.tif 000004
【図３】
2007132083.tif 000005
【図４】
2007132083.tif 000006
【図５】
2007132083.tif 000007